(57)【特許請求の範囲】
【請求項１】
内部に収納する現像剤を排出するための供給口を有する現像剤収容体と、前記供給口を開閉するシャッタ部材と、前記シャッタ部材を操作する操作部材とを備えた現像剤収容器において、
前記現像剤収容器の内部に変位可能に設けられ、磁性部材と、前記シャッタ部材と係合可能な係合部とを有する変位部材と、
前記変位部材を所定の方向に付勢する付勢部材と
を有し、
前記シャッタ部材が前記供給口を閉じる位置にあるとき、前記変位部材の前記係合部が、前記付勢部材による付勢により前記シャッタ部材又は前記操作部材に形成された被係合部と係合して前記供給口を開く動作を封じることを特徴とする現像剤収容器。
【請求項２】
前記変位部材の前記係合部が凸状部であり、
前記シャッタ部材の前記被係合部が、前記凸状部が貫通可能な係合孔であり、
前記変位部材は前記シャッタ部材に設けられ、前記シャッタ部材が前記供給口を閉じる位置にあるとき、前記凸状部が前記係合孔を貫通して更に前記現像剤収容体に設けられた孔に嵌入することを特徴とする請求項１記載の現像剤収容器。
【請求項３】
請求項１又は２の現像剤収容器を着脱可能に備え、前記磁性体に対応する位置に磁石を設けたことを特徴とする現像ユニット。
【請求項４】
内部に収納する現像剤を排出するための供給口を有する現像剤収容体と、前記供給口を開閉するシャッタ部材と、前記シャッタ部材を操作する操作部材とを備えた現像剤収容器において、
前記現像剤収容器の内部に変位可能に設けられ、磁石と、前記シャッタ部材と係合可能な係合部とを有する変位部材と、
前記変位部材を所定の方向に付勢する付勢部材と
を有し、
前記シャッタ部材が前記供給口を閉じる位置にあるとき、前記変位部材の前記係合部が、前記付勢部材による付勢により前記シャッタ部材又は前記操作部材に形成された被係合部と係合して前記供給口を開く動作を封じることを特徴とする現像剤収容器。
【請求項５】
前記変位部材の前記係合部が凸状部であり、
前記シャッタ部材の前記被係合部が、前記凸状部が貫通可能な係合孔であり、
前記変位部材は前記シャッタ部材に設けられ、前記シャッタ部材が前記供給口を閉じる位置にあるとき、前記凸状部が前記係合孔を貫通して更に前記現像剤収容体に設けられた孔に嵌入することを特徴とする請求項４記載の現像剤収容器。
【請求項６】
請求項４又は５の現像剤収容器が着脱可能に備え、前記磁石に対応する位置に磁性体を設けたことを特徴とする現像ユニット。
【請求項７】
前記変位部材はＬ字状のアームであって、回動可能に設けられたことを特徴とする請求項１，２，４，５の何れかに記載の現像剤収容器。
【請求項８】
前記変位部材は、一端に凸部が形成された棒状部材であって、スライド自在に設けられたことを特徴とする請求項１，２，４，５の何れかに記載の現像剤収容器。
【請求項９】
請求項３又は６に記載の現像ユニットを備えたことを特徴とする画像形成装置。
【請求項１０】
内部に収納する現像剤を排出するための供給口を有する現像剤収容体と、前記供給口を開閉するシャッタ部材と、前記シャッタ部材を操作する操作部材とを備えた現像剤収容器において、
前記現像剤収容器の内部に変位可能に設けられ、第１の磁性部材と、前記シャッタ部材と係合可能な係合部とを有する変位部材と、
前記変位部材を所定の方向に付勢する付勢部材と、
前記変位部材の周囲に巻回された第１のコイルと、
前記第１のコイルと外部とを電気的に断続する接点部と
を有し、
前記シャッタ部材が前記供給口を閉じる位置にあるとき、前記変位部材の前記係合部が、前記付勢部材による付勢により前記シャッタ部材又は前記操作部材に形成された被係合部と係合して前記供給口を開く動作を封じることを特徴とする現像剤収容器。
【請求項１１】
前記変位部材の前記係合部が凸状部であり、
前記シャッタ部材の前記被係合部が、前記凸状部が貫通可能な係合孔であり、
前記変位部材は前記シャッタ部材に設けられ、前記シャッタ部材が前記供給口を閉じる位置にあるとき、前記凸状部が前記係合孔を貫通して更に前記現像剤収容体に設けられた孔に嵌入することを特徴とする請求項１０記載の現像剤収容器。
【請求項１２】
請求項１０又１１の現像剤収容器を着脱自在に備え、
前記第１の磁性体に対応する位置に設けた第２の磁性体と、
前記第２の磁性体の周囲に巻回された第２のコイルと
を有することを特徴とする現像ユニット。
【請求項１３】
請求項１２の現像ユニットと、
電流供給部と
と有し、
前記現像ユニットが前記現像剤収容器を載置した状態で、且つ前記シャッタ部材が前記供給口を閉じる位置にあるときのみ、前記第１と第２のコイルに電流を流し、前記シャッタ部材が前記供給口を開ける位置にあるとき、前記接点部により前記第１のコイルと前記外部とが電気的に切断されることを特徴とする画像形成装置。
【請求項１４】
前記シャッタ部材と前記操作部材とが一体的に形成されていることを特徴とする請求項１，４，１０の何れかに記載の現像剤収容器。
【発明の詳細な説明】
【技術分野】
【０００１】
本発明は、プリンタ、ファックス、及び複写機等の電子写真プロセス方式に使用する現像剤を収容する現像剤収容器、この現像剤収容器を備えた現像ユニット及び画像形成装置に関する。
【背景技術】
【０００２】
従来、電子写真プリンタ、複写機、ファクシミリ、複合機等の画像形成装置、例えば、電子写真方式を採用するＬＥＤプリンタにおいては、例えば、帯電ローラにより感光体の表面を帯電し、その感光体をＬＥＤヘッド等の露光手段で露光して静電潜像を形成し、その静電潜像に現像ローラ上に薄層形成されたトナーを静電的に付着させて現像し、そのトナーを媒体上に転写装置により転写することにより画像を形成する。このうち、感光体、帯電ローラ、現像ローラ等は現像ユニットとしユニット化され、このような現像ユニットには、着脱自在に配設される現像剤収容器としてのトナーカートリッジからトナーが供給される。そのため、トナーカートリッジの下面にトナー供給口が形成され、このトナー供給口を開閉するためにシャッタ部材が配設される。このシャッタ部材には、開口部が形成されており、シャッタ部材と一体に形成された操作レバーを回転させることによって、トナー供給口と開口部とを合わせることによってトナー供給口を開放していた（例えば、特許文献１参照）。
【０００３】
【特許文献１】特開２００３―５０５０５号公報（第４頁、図５）
【発明の開示】
【発明が解決しようとする課題】
【０００４】
しかしながら、着脱可能なトナーカートリッジは、現像ユニットに装着されていない単体の場合にもシャッタ部材が開閉可能なため、誤操作によりトナー供給口が開かれることがあり、その場合、異物混入やトナー漏れを生じという問題点があった。
【課題を解決するための手段】
【０００５】
本発明による現像剤収容器は、内部に収納する現像剤を排出するための供給口を有する現像剤収容体と、前記供給口を開閉するシャッタ部材と、前記シャッタ部材を操作する操作部材とを備えた現像剤収容器において、
前記現像剤収容器の内部に変位可能に設けられ、磁性部材と、前記シャッタ部材と係合可能な係合部とを有する変位部材と、前記変位部材を所定の方向に付勢する付勢部材と
を有し、
前記シャッタ部材が前記供給口を閉じる位置にあるとき、前記変位部材の前記係合部が、前記付勢部材による付勢により前記シャッタ部材又は前記操作部材に形成された被係合部と係合して前記供給口を開く動作を封じることを特徴とする。
【０００６】
本発明による別の現像剤収容器は、内部に収納する現像剤を排出するための供給口を有する現像剤収容体と、前記供給口を開閉するシャッタ部材と、前記シャッタ部材を操作する操作部材とを備えた現像剤収容器において、
前記現像剤収容器の内部に変位可能に設けられ、磁石と、前記シャッタ部材と係合可能な係合部とを有する変位部材と、前記変位部材を所定の方向に付勢する付勢部材とを有し、
前記シャッタ部材が前記供給口を閉じる位置にあるとき、前記変位部材の前記係合部が、前記付勢部材による付勢により前記シャッタ部材又は前記操作部材に形成された被係合部と係合して前記供給口を開く動作を封じることを特徴とする。
【０００７】
本発明による更に別の現像剤収容器は、内部に収納する現像剤を排出するための供給口を有する現像剤収容体と、前記供給口を開閉するシャッタ部材と、前記シャッタ部材を操作する操作部材とを備えた現像剤収容器において、
前記現像剤収容器の内部に変位可能に設けられ、第１の磁性部材と、前記シャッタ部材と係合可能な係合部とを有する変位部材と、前記変位部材を所定の方向に付勢する付勢部材と、前記変位部材の周囲に巻回された第１のコイルと、前記第１のコイルと外部とを電気的に断続する接点部とを有し、
前記シャッタ部材が前記供給口を閉じる位置にあるとき、前記変位部材の前記係合部が、前記付勢部材による付勢により前記シャッタ部材又は前記操作部材に形成された被係合部と係合して前記供給口を開く動作を封じることを特徴とする。
【発明の効果】
【０００８】
本発明による現像剤収容器によれば、単独で存在するときには、シャッタ部材が供給口を閉じる位置で、この供給口を開ける方向の移動が規制されるため、誤操作により、内部の現像剤が供給口からもれるのを防ぐことができる。
本発明による現像ユニットによれば、上記した効果を有する現像剤収容器を装着した状態においては、自動的に上記供給口を開ける方向の移動規制が解除され、供給口を開ける方向にシャッタ部材を操作することができる。このため、供給口を閉じた状態にシャッタ部材をロックし、且つ必要なときのみこのロックを自動で解除することが可能となる。
【発明を実施するための最良の形態】
【０００９】
実施の形態１．
図１は、本発明によるトナーカートリッジを採用した実施の形態１の画像形成装置の要部構成を説明するための概略構成図である。
【００１０】
同図において、画像形成装置１００は、ブラック（Ｋ）、イエロー（Ｙ）、マゼンタ（Ｍ）、シアン（Ｃ）の４色を印刷可能なカラー用電子写真式プリンタとしての構成を備えている。ロワーフレーム２８には、用紙搬送ローラ１６〜１９を有する概ねＳ字状の用紙搬送路１５が形成されており、この用紙搬送路１５の上流側端部には、記録用紙を収納する給紙カセット２０が配置され、下流側端部にはスタッカ２１が設けられている。
【００１１】
用紙搬送路１５には、給紙カセット２０から記録用紙を繰り出す用紙繰り出し部２２、繰り出された記録用紙を静電効果により転写ベルト１１に付着させて搬送する搬送ベルトユニット２４、及びトナー画像を記録用紙に定着させる定着部２５が設けられている。
【００１２】
搬送ベルトユニット２４とによって、転写ベルト１１に付着して搬送される記録用紙を挟む位置に、記録用紙の搬送方向上流側より順にブラック（Ｋ）、イエロー（Ｙ）、マゼンタ（Ｍ）、シアン（Ｃ）の現像剤としてのトナーを収容する現像ユニット２３Ｋ，２３Ｙ，２３Ｍ，２３Ｃ（これらを総称する場合は現像ユニット２３と称す）が一列に、画像形成装置本体に対して着脱自在に配列されている。本実施の形態においては、これらの現像ユニット２３Ｋ，２３Ｙ，２３Ｍ，２３Ｃの構成は同一であり、収容されているトナーの色のみが異なるため、ここではブラック（Ｋ）の現像ユニット２３Ｋを例にとり、その内部構造を以下に説明する。
【００１３】
尚、図１中のＸＹＺ座標は、図２に示す記録用紙１３が現像ユニット２３を通過する際の搬送方向にＸ軸をとり、後述する感光体１の回転軸方向にＹ軸をとり、これら両軸と直交する方向にＺ軸をとっている。また、後述する他の図においてＸＹＺ座標が示される場合、これらの座標の軸方向は、共通する方向を示すものとする。即ち、各図のＸＹＺ軸は、各図の描写部分が、図１に示す画像形成装置１００を構成する際の配置方向を示している。
【００１４】
図２は、転写ローラ１２、露光装置３、記録用紙１３と供に、ブラック（Ｋ）の現像ユニット２３Ｋの構成を模式的に示す概略構成図である。  
【００１５】
同図に示すように、現像ユニット２３Ｋには、アルミニウム等からなる導電性基層と有機感光体からなる表層により構成された像担持体としての感光体１が矢印方向に回転可能に配置され、この感光体１の周囲には、その回転方向上流側から順に、導電性の金属シャフトにエピクロルヒドリンゴム等の半導電性のゴムをロール状に形成し、感光体１の表面に一定の圧力で接触して電荷を供給して帯電させる帯電ローラ２、帯電された感光体１の表面に、例えばＬＥＤヘッド等の光源による光を照射して静電潜像を形成する露光装置３が配設される。尚、この露光装置３は、画像形成装置１００（図１）の本体側のアッパーカバー２６に配設されている。
【００１６】
更に、静電潜像が形成された感光体１の表面に、所定色（ここではブラック）のトナーを付着させて現像を発生させる現像部１１０、感光体１上のトナー現像を記録用紙１３に転写した際に残留した転写残トナーを除去して、廃トナー収集部１１１に落下させるクリーニングブレード９が配設されている。このためクリーニングブレード９は弾性体で形成され、そのエッジ部が感光体１の表面に一定の圧力で接触するように配置されている。廃トナー収集部１１１内には、スパイラルあるいはコイルスプリングからなる廃棄トナー搬送部材１１１ａが備えられている。尚、これら各装置に用いられている回転体は、図示しない駆動源からギアなどを経由して動力が伝達され回転する。
【００１７】
現像部１１０は、現像剤としてのトナー４を収容し、その下部に形成された下部トナー供給口３１ａからトナー４を供給するトナーカートリッジ５、トナーカートリッジ５から供給されたトナー４を貯蔵するトナー貯蔵部１１２、導電性の金属シャフトにシリコーン等の半導電性ゴムを形成し、感光体１に接触して配置される現像ローラ６、導電性の金属シャフトにトナーの搬送性を向上させるためゴム混練時に発泡剤を添加し形成されて現像ローラ６にトナー４を供給するトナー供給ローラ８、現像ローラ６上のトナー４を均一に薄層化する現像ブレード７を有し、感光体１の表面に形成された静電潜像に現像ローラ６上のトナー４を付着させて顕像化、即ち現像する。また、図示しない現像ローラ電源、供給ローラ電源、現像ブレード電源をそれぞれ現像ローラ６、トナー供給ロ−ラ８、現像ブレード７へと接続し、所定のバイアス電圧を印加できるようしてある。
【００１８】
尚、現像ユニット２３Ｋは、後述するようにトナーカートリッジ５を、トナー供給ローラ８の上方において、着脱自在に配置するように構成されているものであり、以後、現像ユニット２３の、着脱自在なトナーカートリッジ５を除いた部分を現像ユニット本体２３ａと称す。現像ユニット本体２３ａは、その外側が、ベースフレーム１０ａと、感光体１、帯電ローラ２、及びトナー供給ローラ８の軸方向両端部側に配置されてこれらの各軸を支持する図示しない一対のサイドフレーム、及びこのベースフレーム１０ａで保持されたカバーフレーム１０ｂとからなる筐体１０で構成されている。カバーフレーム１０ｂ上方には、トナー貯蔵室１１２ヘトナーを供給するためのトナーカートリッジ５が配置され、このトナーカートリッジ５からのトナー補給を受けるためのトナー補給口１０ｃが、トナーカートリッジ５の下部トナー供給口３１ａに対向する位置に設けられている。
【００１９】
現像ローラ６とトナー供給ローラ８とは、一定の圧力で当接するように、互いに平行に配置され、それぞれ同図に示される矢印の方向（同方向）に回転する。また、現像ブレード７と現像ローラ６とは、同図に示すように、例えば現像ブレード７の折り曲げ部分が現像ローラ６の周面に一定の圧力で接触するように、互いに平行に配置される。尚、これら各装置に用いられている回転体は、図示しない駆動源からギアなどを経由して動力が伝達されて回転する。
【００２０】
図１に示すように、上記した４つの現像ユニット２３の各感光体１に対向する位置には、それぞれ導電性のゴム等によって形成された転写ローラ１２が、記録用紙１３（図２）を静電吸収して搬送する転写ベルト１１を介して圧接された状態で配設されている。これらの転写ローラ１２は、感光体１上のトナー現像を記録用紙１３（図２）に転写するが、この転写時に、各感光体１の表面電位とこれらの各感光体に対向して配置された各転写ローラ１２の表面電位に電位差を持たせるための電位が印加される。
【００２１】
定着部２５（図１）は、内部に加熱ローラとバックアップローラとを有し、記録用紙１３（図２）上に転写された転写済みトナー１４を加圧・加熱することによって定着する。ここで定着された記録用紙１３は、後段の用紙搬送ローラ１８，１９によって、記録用紙のスタッカ２１に搬送される。
【００２２】
また、図２に示すように、トナーカートリッジ５の内部には、未使用のトナーを収納するトナー収納部５ａと、前記した廃トナー収集部１１１に収容され、廃棄トナー搬送部材１１１ａを含む図示しない搬送手段によって搬送される廃トナーを収納する廃トナー収納部５ｂが形成されている。トナー収納部５ａのトナー４は、下部トナー供給口３１ａの近傍に、両端部がトナーカートリッジ５に回転自在に保持されて図示せぬ駆動手段によって回転駆動されるクランク状のトナー攪拌バー３９によって、下部トナー供給口３１ａに導かれる。尚、図２では、簡単のため、後述する下部トナー供給口３１ａを開閉する部材であるインナーカートリッジ３２（図３）が省かれている。
【００２３】
図３は、本発明の現像剤収容器に相当するトナーカートリッジ５の実施の形態１の構成を示す要部分解斜視図である。
【００２４】
同図に示すように、トナーカートリッジ５は、現像剤収容体に相当するアウターカートリッジ３１、シャッタ部材及び操作部材に相当するインナーカートリッジ３２、キャップ３３、カバープレート３４から構成されている。アウターカートリッジ３１には、前記したように下部トナー供給口３１ａが形成されている。インナーカートリッジ３２は、図中の矢印で示すように、開口部３２ｂとシャッタ部３２ｃを有するシャッタ部材３２ｇがアウターカートリッジ３１の開口３６から挿入されて組み込まれ、外部に留まる操作レバー３２ａを操作することにより、所定の範囲で回動自在にアウターカートリッジ３１によって保持される。アウターカートリッジ３１に形成された規制部材３５は、インナーカートリッジ３２が組み込まれる際にインナーカートリッジ３２に形成された円弧状のガイド孔３７に入り込んでインナーカートリッジ３２の回動範囲を規制する。
【００２５】
尚、インナーカートリッジ３２は、開口部３２ｂ及びシャッタ部３２ｃを有するシャッタ部材３２ｇと操作レバー３２ａが形成された操作部材３２ｅとからなり、これらの各部材は、ここでは一体的に形成されているものであるが、別体のものを結合した構成とすることもできる。
【００２６】
図４（ａ）に示すように、インナーカートリッジ３２が矢印Ａ方向に限度位置まで回動されたとき、インナーカートリッジ３２のシャッタ部３２ｃ（図３）がアウターカートリッジ３１の下部トナー供給口３１ａに対向する位置となって、この下部トナー供給口３１ａを閉じた状態とし、図４（ｂ）に示すように、インナーカートリッジ３２が矢印Ｂ方向に限度位置まで回動されたとき、インナーカートリッジ３２の開口部３２ｂ（図３）がアウターカートリッジ３１の下部トナー供給口３１ａに対向する位置となって、この下部トナー供給口３１ａを開いた状態とする。
【００２７】
図５は、図４（ａ）の状態、即ち下部トナー供給口３１ａが閉じられた状態のトナーカートリッジ５が現像ユニット本体２３ａの上方にあって装着される直前の状態を示す要部斜視図であり、更にこの時のカートリッジ５の内部を示すため、アウターカートリッジ３１の一部を切り欠いて示している。同図（ａ）は、インナーカートリッジ３２の端部に配置されたカバー部材４１を示し、同図（ｂ）は、更にカバー部材４１を除いた状態として、このカバー部材４１によってトナーから保護されるアーム部材４２を示している。
【００２８】
一方図６は、アウターカートリッジ３１、インナーカートリッジ３２、カバー部材４１及びアーム部材４２の関係を模式的に示す概略構成図であり、図５に示すトナーカートリッジ５及び現像ユニット本体２３ａを矢印Ｃ方向から見た図に対応する。同図（ａ）は、図５と同様に、下部トナー供給口３１ａが閉じられた状態のトナーカートリッジ５が現像ユニット本体２３ａの上方にあって装着される直前の状態を示し、同図（ｂ）は、トナーカートリッジ５が現像ユニット本体２３ａに載置された状態を示し、同図（ｃ）は、その後、後述するように操作レバー３２ａの操作によってトナーカートリッジ５が前記した図４（ｂ）の状態とされ、下部トナー供給口３１ａが開かれた状態を示している。
【００２９】
図５、図６を参照しながら、アウターカートリッジ３１、インナーカートリッジ３２、カバー部材４１及びアーム部材４２等の構成について更に説明する。
【００３０】
変位部材としてのアーム部材４２は、磁性体からなる断面Ｌ字形状の部材であり、インナーカートリッジ３２の、操作レバー３２ａが備えられた側の端部に近い内部に、回動自在に支持されている。図７は、この支持例を示す図である。同図に示すように、アーム部材４２は、屈曲部から両側に延在する回動軸４５を備え、一方インナーカートリッジ３２内の上記した端部近傍には、この回転軸４５を回動自在に軸支する一対の支持部材４６が固定配置されている。この一対の支持部材４６は、アーム部材４２の回転軸４５の軸方向が、インナーカートリッジ３２が回動される際の回動軸方向と平行となるように、また図６（ａ）に示すように、インナーカートリッジ３２がアウターカートリッジ３１の下部トナー供給口３１ａを閉じる回動位置にあるとき、アーム部材４２の一方のアーム部４２ａがアウターカートリッジ３１の下部トナー供給口３１ａが形成さている側に位置するように配置されている。
【００３１】
アーム部材４２の他方のアーム部４２ｂの背面部には、その背面から垂直方向に植立する係合部としてのロックピン４３が備えられ、この他方のアーム部４２ｂとインナーカートリッジ３２間には引張りバネ４４が張架されている。ロックピン４３は、インナーカートリッジ３２がアウターカートリッジ３１の下部トナー供給口３１ａを閉じる回動位置にあるとき、この引張りバネ４４による付勢により、その先端がインナーカートリッジ３２に形成された被係合部としての貫通孔３２ｄを貫通し、更にアウターカートリッジ３１に形成された有底孔３１ｂの底部に当接した状態となっている。
【００３２】
一方、現像ユニット本体２３ａには、図５或いは図６に示すように、下部トナー供給口３１ａが閉じられた状態のトナーカートリッジ５が、現像ユニット本体２３ａの上方から接近して装着される際に、カバーフレーム１０ｂの上面の、アーム部材４２の一方のアーム部４２ａが対向する位置に、接着或いは圧入により磁石４８を設けている。この磁石４８の磁力は、現像ユニット本体２３ａにトナーカートリッジ５が載置された状態で、張りバネ４４よりも強い力でアーム部材４２の一方のアーム部４２ａを吸引することができる程度に設定されている。
【００３３】
以上の構成において、トナーカートリッジ５が現像ユニット本体２３ａのカバーフレーム１０ｂ上に載置され、下部トナー供給口３１ａが開閉する時の動作について図６の動作説明図を参照しながら更に説明する。
【００３４】
トナーカートリッジ５は、現像ユニット本体２３ａから分離して単独で存在するとき、前記した図４（ａ）に示す状態、即ちインナーカートリッジ３２が矢印Ａ方向に限度位置まで回動した回動位置にあって、アウターカートリッジ３１の下部トナー供給口３１ａを閉じた状態となっている。このとき、図６（ａ）に示すように、アーム部材４２のロックピン４３の先端がインナーカートリッジ３２に形成された貫通孔３２ｄを貫通し、更にアウターカートリッジ３１に形成された有底孔３１ｂの底部に当接した状態となっている。このためインナーカートリッジ３２がロックされ、操作レバー３２ａ等の操作によってインナーカートリッジ３２が矢印Ｂ方向に回動して下部トナー供給口３１ａが開くことはない。
【００３５】
次に図６（ｂ）に示すように、トナーカートリッジ５が現像ユニット本体２３ａに載置されると、アーム部材４２の一方のアーム部４２ａが、現像ユニット本体２３ａに設けた磁石４８によって、引張りバネ４４による付勢力よりも強い力で吸引されるため、アーム部材４２は同図（ｂ）に示すように矢印Ｄ方向に回動し、ロックピン４３が有底孔３１ｂ及び貫通孔３２ｄから外れ、一方のアーム部４２ａの先端がインナーカートリッジ３２の内壁に当接した状態となる。尚、有底孔３１ｂ及び貫通孔３２ｄには、必要に応じて傾斜部等が設けられ、このときロックピン４３がこれらの孔から外れるのを可能としている。
【００３６】
ロックピン４３が有底孔３１ｂ及び貫通孔３２ｄから外れたことにより、インナーカートリッジ３２の矢印Ｂ方向への回動が可能となるため、図６（ｃ）に示すように、トナーカートリッジ５が現像ユニット本体２３ａに載置された状態で、操作レバー３２ａ（図４）の操作によってインナーカートリッジ３２を矢印Ｂ方向に限度位置まで回動し、下部トナー供給口３１ａを開いた状態とすることができる。尚、このとき、アーム部材４２は、その一方のアーム部４２ａが磁石４８から離間するため引張りバネ４４による付勢力より矢印Ｅ方向に回動し、ロックピン４３が貫通孔３２ｄを貫通してアウターカートリッジ３１の内壁面に当接した状態となっている。
【００３７】
逆に、現像ユニット本体２３ａからトナーカートリッジ５を取り外す際には、先ず操作レバー３２ａ（図４）の操作によってインナーカートリッジ３２を矢印Ａ方向に限度位置まで回動し、下部トナー供給口３１ａを閉めた図６（ｂ）の状態としてから外すことなる。この外す過程、即ち図６（ｂ）から図６（ａ）の状態に移行する過程で、磁石４８と一方のアーム部４２ａが離間するため、離間するにつれて磁石４８によるアーム部４２ａの吸引が弱まり、更にその影響がなくなる。このため、アーム部材４２は再び引張りバネ４４による付勢力により矢印Ｅ方向に回動し、アーム部材４２のロックピン４３の先端がインナーカートリッジ３２に形成された貫通孔３２ｄを貫通し、更にアウターカートリッジ３１に形成された有底孔３１ｂの底部に当接した図６（ａ）の状態となり、インナーカートリッジ３２の矢印Ｂ方向への回動がロックされる。
【００３８】
以上のように、本実施の形態の現像ユニットによれば、トナーカートリッジ５が単体で存在する時には、インナーカートリッジ３２がアウターカートリッジ３１の下部トナー供給口３１ａを閉じた回動位置にロックされるため、操作ミス等によりトナー供給口が開いて、内部のトナーが外部に漏れるといった不都合を防ぐことができる。またトナーカートリッジ５が現像ユニット本体２３ａに装着されると、自動的にロックが解除されるため、手動によりロック解除することなくインナーカートリッジ３２を回動して下部トナー供給口３１ａを開けることができる。更に、下部トナー供給口３１ａを閉じ、トナーカートリッジ５を現像ユニット本体２３ａから外した段階で、インナーカートリッジ３２が、下部トナー供給口３１ａを閉じた回動位置に自動的にロックされるため、ロック設定の煩わしさや、ロック設定のしわすれなどによる不都合を防ぐことができる。
【００３９】
実施の形態２．
図８は、本発明に基づく実施の形態２の画像形成装置に採用されるトナーカートリッジ２０５の要部斜視図である。
【００４０】
このトナーカートリッジ２０５を採用する画像形成装置が、前記した図５に示す実施の形態１のトナーカートリッジ５と主に異なる点は、ガイド部材２１１を含む、インナーカートリッジ２３２をロックする機構の構成である。従って、このトナーカートリッジ２０５を採用する画像形成装置が、前記した実施の形態１の画像形成装置１００（図１）と共通する部分には同符号を付して、或いは図面を省いて説明を省略し、異なる点を重点的に説明する。尚、本実施の形態の画像形成装置の要部構成は、トナーカートリッジ２０５以外において、図１に示す実施の形態１の画像形成装置１００の要部構成及び図２に示す実施の形態１の現像ユニット２３の要部構成と共通するため、必要に応じて図１及び図２を参照する。またトナーカートリッジ２０５と実施の形態１のトナーカートリッジ５は外形が同じであるため、必要に応じて図４を参照する。
【００４１】
図８に示すトナーカートリッジ２０５は、図４（ａ）の状態、即ち下部トナー供給口３１ａが閉じられた状態のトナーカートリッジ２０５が現像ユニット本体２３ａ（図２）の上方にあって装着される直前の状態を示す要部斜視図であり、更にこの時のカートリッジ２０５の内部を示すため、アウターカートリッジ２３１の一部を切り欠いて示している。
【００４２】
一方図９は、アウターカートリッジ２３１、インナーカートリッジ２３２、ガイド部材２１１及び係止部材２１２の関係を模式的に示す概略構成図であり、図８に示すトナーカートリッジ２０５及び現像ユニット本体２３ａを矢印Ｃ方向から見た図に対応する。同図（ａ）は、図８と同様に、下部トナー供給口３１ａが閉じられた状態のトナーカートリッジ２０５が現像ユニット本体２３ａの上方にあって装着される直前の状態を示し、同図（ｂ）は、トナーカートリッジ２０５が現像ユニット本体２３ａに載置された状態を示し、同図（ｃ）は、その後、後述するように操作レバー３２ａの操作によってトナーカートリッジ２０５が矢印Ｂ方向に回動されて前記した図４（ｂ）の状態とされ、下部トナー供給口３１ａが開かれた状態を示している。
【００４３】
図８、図９を参照しながら、アウターカートリッジ２３１、インナーカートリッジ２３２、ガイド部材２１１及び係止部材２１２等の構成について説明する。
【００４４】
ガイド部材２１１は、図８に示すように、インナーカートリッジ２３２の操作レバー３２ａが備えられた側の端部に近い内部に、インナーカートリッジ２３２の内径方向に延在して配設された円筒状の部材で、その両端部がインナーカートリッジ２３２の内部面に当接して固定されている。更にガイド部材２１１は、図９（ａ）に示すように、インナーカートリッジ２３２がアウターカートリッジ２３１の下部トナー供給口３１ａを閉じる回動位置にあるとき、その一端側２１１ａ側がアウターカートリッジ２３１の下部トナー供給口３１ａが形成されている側に位置するように配置されている。
【００４５】
このガイド部材２１１の内部には、磁性体からなる棒状の、変位部材としての係止部材２１２がスライド可能に備えられている。この係止部材２１２の、ガイド部材２１１の他端側２１１ｂ側の端部には、径小の係合部としての係止部２１２ａが形成されている。また係止部材２１２の端部２１２ｂとインナーカートリッジ２３２間には圧縮バネ２３３が架けられ、係止部材２１２を矢印Ｆ方向に付勢している。  
【００４６】
係止部材２１２は、インナーカートリッジ２３２がアウターカートリッジ２３１の下部トナー供給口３１ａを閉じる回動位置にあるとき、この圧縮バネ２３３による付勢により、その係止部２１２ａの先端がインナーカートリッジ２３２に形成された貫通孔３２ｄを貫通し、更にアウターカートリッジ２３１に形成された有底孔３１ｂの底部に当接した状態となっている。
【００４７】
一方、現像ユニット本体２３ａには、図８或いは図９に示すように、下部トナー供給口３１ａが閉じられた状態のトナーカートリッジ２０５が、現像ユニット本体２３ａの上方から接近して装着される際に、カバーフレーム１０ｂの上面の、ガイド部材２１１の一端側２１１ａが対向する位置に、接着或いは圧入により磁石４８を設けている。この磁石４８の磁力は、現像ユニット本体２３ａにトナーカートリッジ２０５が載置された状態で、圧縮バネ２３３よりも強い力で係止部材２１２を吸引することができる程度に設定されている。
【００４８】
以上の構成において、トナーカートリッジ２０５が現像ユニット本体２３ａのカバーフレーム１０ｂ上に載置され、下部トナー供給口３１ａが開閉する時の動作について図９の動作説明図を参照しながら更に説明する。
【００４９】
トナーカートリッジ２０５は、現像ユニット本体２３ａから分離して単独で存在するとき、前記した図４（ａ）に示す状態、即ちインナーカートリッジ２３２が矢印Ａ方向に限度位置まで回動した回動位置にあって、アウターカートリッジ２３１の下部トナー供給口３１ａを閉じた状態となっている。このとき、図９（ａ）に示すように、係止部材２１２の係止部２１２ａの先端がインナーカートリッジ２３２に形成された貫通孔３２ｄを貫通し、更にアウターカートリッジ２３１に形成された有底孔３１ｂの底部に当接した状態となっている。このためインナーカートリッジ２３２がロックされ、操作レバー３２ａ等の操作によってインナーカートリッジ２３２が矢印Ｂ方向に回動して下部トナー供給口３１ａが開くことはない。
【００５０】
次に図９（ｂ）に示すように、トナーカートリッジ２０５が現像ユニット本体２３ａに載置されると、係止部材２１２が、現像ユニット本体２３ａに設けた磁石４８によって、圧縮バネ２３３による付勢力よりも強い力で吸引されるため、同図（ｂ）に示すように矢印Ｇ方向に移動し、係止部２１２ａの先端が有底孔３１ｂ及び貫通孔３２ｄから外れた状態となる。
【００５１】
係止部材２１２が有底孔３１ｂ及び貫通孔３２ｄから外れたことにより、インナーカートリッジ２３２の矢印Ｂ方向への回動が可能となるため、図９（ｃ）に示すように、トナーカートリッジ２０５が現像ユニット本体２３ａに載置された状態で、操作レバー３２ａ（図４）の操作によってインナーカートリッジ２３２を矢印Ｂ方向に限度位置まで回動し、下部トナー供給口３１ａを開いた状態とすることができる。尚、このとき、係止部材２１２は、その端部２１２ｂが磁石４８から離間するため、圧縮バネ２３３による付勢力より矢印Ｆ方向に移動し、係止部２１２ａの先端が貫通孔３２ｄを貫通してアウターカートリッジ２３１の内壁面に当接した状態となっている。
【００５２】
逆に、現像ユニット本体２３ａからトナーカートリッジ２０５を取り外す際には、先ず操作レバー３２ａ（図４）の操作によってインナーカートリッジ２３２を矢印Ａ方向に限度位置まで回動し、下部トナー供給口３１ａを閉めた図９（ｂ）の状態としてから外すことなる。この図９（ｂ）の状態では再び磁石４８による吸引によって係止部材２１２が有底孔３１ｂ及び貫通孔３２ｄから外れた状態となるが、外す過程、即ち図９（ｂ）から図９（ａ）の状態に移行する過程で、磁石４８と係止部材２１２の端部２１２ｂが離間するため、離間するにつれて磁石４８による係止部材２１２の吸引が弱まり、更にその影響がなくなる。
【００５３】
このため、係止部材２１２は再び圧縮バネ２３３による付勢力により矢印Ｆ方向に移動し、係止部２１２ａの先端がインナーカートリッジ２３２に形成された貫通孔３２ｄを貫通し、更にアウターカートリッジ２３１に形成された有底孔３１ｂの底部に当接した図９（ａ）の状態となり、インナーカートリッジ２３２の矢印Ｂ方向への回動がロックされる。
【００５４】
以上のように、本実施の形態の現像ユニットによれば、前記した実施の形態１の現像ユニットと同様に、トナーカートリッジ２０５が単体で存在する時には、インナーカートリッジ２３２がアウターカートリッジ２３１の下部トナー供給口３１ａを閉じた回動位置にロックされるため、操作ミス等によりトナー供給口が開いて、内部のトナーが外部に漏れるといった不都合を防ぐことができる。またトナーカートリッジ２０５が現像ユニット本体２３ａに装着されると、自動的にロックが解除されるため、手動によりロック解除することなくインナーカートリッジ２３２を回動して下部トナー供給口３１ａを開けることができる。更に、下部トナー供給口３１ａを閉じ、トナーカートリッジ２０５を現像ユニット本体２３ａから外した段階で、インナーカートリッジ２３２が、下部トナー供給口３１ａを閉じた回動位置に自動的にロックされるため、ロック設定の煩わしさや、ロック設定のしわすれなどによる不都合を防ぐことができる。また、前記した実施の形態１のロック機構の構成よりも小型化が可能となるため、開閉ロック機構追加によるトナー充填量の減少も微量に留めることができる。  
【００５５】
実施の形態３．  
図１０は、本発明に基づく実施の形態３の画像形成装置に採用されるトナーカートリッジ３０５の要部斜視図である。
【００５６】
このトナーカートリッジ３０５を採用する画像形成装置が、前記した図５に示す実施の形態１のトナーカートリッジ５と主に異なる点は、ガイド部材２１１や第１コイル３１３を含む、インナーカートリッジ３３２をロックする機構の構成である。従って、このトナーカートリッジ３０５を採用する画像形成装置が、前記した実施の形態１の画像形成装置１００（図１）と共通する部分には同符号を付して、或いは図面を省いて説明を省略し、異なる点を重点的に説明する。尚、本実施の形態の画像形成装置の要部構成は、トナーカートリッジ３０５以外において、図１に示す実施の形態１の画像形成装置１００の要部構成及び図２に示す実施の形態１の現像ユニット２３の要部構成と共通するため、必要に応じて図１及び図２を参照する。またトナーカートリッジ３０５と実施の形態１のトナーカートリッジ５は外形が同じであるため、必要に応じて図４を参照する。
【００５７】
図１０に示すトナーカートリッジ３０５は、図４（ａ）の状態、即ち下部トナー供給口３１ａが閉じられた状態のトナーカートリッジ３０５が現像ユニット本体２３ａ（図２）の上方にあって装着される直前の状態を示す要部斜視図であり、更にこの時のカートリッジ３０５の内部を示すため、アウターカートリッジ３３１の一部を切り欠いて示している。
【００５８】
一方図１１は、アウターカートリッジ３３１、インナーカートリッジ３３２、ガイド部材２１１及び係止部材２１２の関係を模式的に示す概略構成図であり、図１０に示すトナーカートリッジ３０５及び現像ユニット本体２３ａを矢印Ｃ方向から見た図に対応する。同図（ａ）は、図１０と同様に、下部トナー供給口３１ａが閉じられた状態のトナーカートリッジ３０５が現像ユニット本体２３ａの上方にあって装着される直前の状態を示し、同図（ｂ）は、トナーカートリッジ３０５が現像ユニット本体２３ａに載置された状態を示し、同図（ｃ）は、その後、後述するように操作レバー３２ａの操作によってトナーカートリッジ３０５が図４（ｂ）の状態とされ、下部トナー供給口３１ａが開かれた状態を示している。
【００５９】
図１０、図１１を参照しながら、アウターカートリッジ３３１、インナーカートリッジ３３２、ガイド部材２１１及び係止部材２１２等の構成について説明する。
【００６０】
インナーカートリッジ３３２が前記した実施の形態２のインナーカートリッジ２３２（図９）に対して異なるのは、第１コイル３１３とこの第１コイルにつながる後述する接続端子３４１，３４２が新たに追加された点である。従って、インナーカートリッジ３３２に配設されたガイド部材２１１、このガイド部材２１１にガイドされて移動する係止部材２１２、この係止部材２１２とインナーカートリッジ３３２間に架けられた圧縮スプリング２３３、更に係止部材２１２の係止部２１２ａとインナーカートリッジ３３２に形成された貫通孔３２ｄ及びアウターカートリッジ３３１に形成された有底孔３１ｂの関係、については、前記した実施の形態２で説明した通りなので、ここでの詳細な説明は省略する。
【００６１】
コイル３１３は、円筒状のガイド部材２１１の周囲に所定回数巻回され、その一端及び他端が、インナーカートリッジ３３２の外周面の所定位置に配置された導電部材からなる接続端子３４１及び接続端子３４２（図１２）に電気的に接続されている。図１２は、図１１（ａ）におけるこの接続端子３４１及び接続端子３４２の周辺を矢印Ｈ方向から透視した部分拡大図である。
【００６２】
図１１及び図１２に示すように、インナーカートリッジ３３２（図１１）が下部トナー供給口３１ａを閉めてロックされる回動位置にあるとき、インナーカートリッジ３３２の接続端子３４１，３４２に対向するアウターカートリッジ３３１の各位置には、接続端子３４３，３４４がそれぞれ配置されている。アウターカートリッジ３３１の接続端子３４３，３４４の近傍には、一対のロックアウト凹部材３４５，３４６を隣接して配置したロックアウト部３５０が形成されている。このロックアウト凹部材３４５，３４６は、トナーカートリッジ３０５が現像ユニット本体２３ａのカバーフレーム１０ｂ上に載置される際に、後述するように現像ユニット本体２３ａに形成されたロックアウト部３５１に対向し、ロックアウト凹部材３４５，３４６の各対向面には導電板３４５ｂ，３４６ｂ及び係合孔３４５ａ，３４６ａが備えられている。そして接続端子３４３は導電板３４５ｂと、また接続端子３４４は導電板３５６ｂとそれぞれ電気的に接続されている。
【００６３】
一方、現像ユニット本体２３ａのロックアウト部３５１には、アウターカートリッジ３３１の一対のロックアウト凹部材３４５，３４６に対向する位置に、ロックアウト凸部材３４７，３４８が配設されている。このロックアウト凸部材３４７，３４８の各対向面には導電板３４７ｂ，３４８ｂ及び係合突起３４７ａ，３４８ａが備えられている。そして導電板３４７ｂの接続部３４７ｃは、後述する電源制御部４０２（図１５）に電気的に接続され、導電板３４８ｂの接続部３４８ｃは、後述する第２コイル３２４（図１１）の一端に電気的に接続されている。
【００６４】
また、現像ユニット本体２３ａには、図１０或いは図１１に示すように、下部トナー供給口３１ａが閉じられた状態のトナーカートリッジ３０５が、現像ユニット本体２３ａの上方から接近して装着される際に、カバーフレーム１０ｂの上面の、ガイド部材２１１の一端側２１１ａが対向する位置に、磁性体３２３とこの磁性体３２３の周囲に巻回された第２コイル３２４を接着或いは圧入により設けている。
【００６５】
図１３は、ロックアウト凹部材３４５，３４６及びロックアウト凸部材３４７，３４８の配置位置及び形状を示す斜視図で、同図（ａ）は、トナーカートリッジ３０５の底部で操作レバー３２ａ側の端部に形成されたロックアウト凹部材３４５，３４６を示し、同図（ｂ）は、現像ユニット本体２３ａの対向する位置に形成されたロックアウト凸部材３４７，３４８を示している。
【００６６】
このロックアウト部３５０、３５１は、カラー機での色判別や画像形成装置の仕向け違いによって、トナーカートリッジ３０５と現像ユニット本体２３ａの組合せが間違っている場合には機械的に装着できないようにするものであり、ここでは、色の組み合わせが間違わないように、ロックアウト凹部材３４５，３４６に形成される係合孔３４５ａ，３４６ａの位置、及びロックアウト凸部材３４７，３４８に形成される係合突起３４７ａ，３４８ａの位置が予め決められている。
【００６７】
図１４には、各色に応じて決められた係合孔３４５ａ，３４６ａ及び係合突起３４７ａ，３４８ａの形成位置の一覧表が示されている。同図に示すように例えばイエローのトナーカートリッジ３０５Ｙの場合、係合孔３４５ａ，３４６ａが共にＹ軸のプラス側の真中に形成され、同様にイエローの現像ユニット本体２３ａ（Ｙ）の場合も、係合突起３４７ａ，３４８ａが共にＹ軸のプラス側の真中に形成されている。従って、本実施の形態で説明する現像ユニット本体２３ａ及びトナーカートリッジ３０５は、イエロー用のものに対応している。以上のように、図１４の一覧表からわかるように、異なる色の現像ユニット本体２３ａとトナーカートリッジ３０５が組み合わされた場合、二組の係合孔及び係合突起が同時に合うことがないため、このロックアウト部によって、所定色用の現像ユニット本体２３ａに色の異なるトナーカートリッジ３０５が誤装着されるのを防止することができる。
【００６８】
図１５は、第１コイル３１３及び第２コイル３２４に供給される電流の経路を示す要部ブロック図である。
【００６９】
同図に示すように、また前記したように、画像形成装置１００の電源４０１からの電源供給をうけて各コイルに流れる電流を制御する電源制御部４０２の電流出力部は現像ユニ本体２３ａに配置されたロックアウト凸部材３４７の導電板３４７ｂに接続され、このロックアウト凸部材３４７に対向するトナーカートリッジ３０５のロックアウト凹部材３４５の導電板３４５ｂはアウターカートリッジ３３１の接続端子３４４に接続されている。この接続端子３４４に対向するインナーカートリッジ３３２の接続端子３４２は第１コイル３１３の一方の端子に接続され、第１コイル３１３の他方の端子はインナーカートリッジ３３２の接続端子３４１に接続されている。この接続端子３４１に対向するアウターカートリッジ３３１の接続端子３４３は現像ユニット３０５のロックアウト凹部材３４６の接続端子３４６ｂに接続されている。このロックアウト凹部材３４６に対向する現像ユニ本体２３ａに配置されたロックアウト凸部材３４８の導電板３４８ｂは第２コイル３２４の一方の端子に接続され、第２コイル３２４の他方の端子は接地されている。
【００７０】
以上の構成において、トナーカートリッジ３０５が現像ユニット本体２３ａのカバーフレーム１０ｂ上に載置され、下部トナー供給口３１ａが開閉する時の動作について、主に図１１の動作説明図を参照しながら更に説明する。
【００７１】
トナーカートリッジ３０５は、現像ユニット本体２３ａから分離して単独で存在するとき、前記した図４（ａ）に示す状態、即ちインナーカートリッジ３３２が矢印Ａ方向に限度位置まで回動した回動位置にあって、アウターカートリッジ３３１の下部トナー供給口３１ａを閉じた状態となっている。このとき、図１１（ａ）に示すように、係止部材２１２の係止部２１２ａの先端がインナーカートリッジ３３２に形成された貫通孔３２ｄを貫通し、更にアウターカートリッジ３３１に形成された有底孔３１ｂの底部に当接した状態となっている。このためインナーカートリッジ３３２がロックされ、操作レバー３２ａ等の操作によってインナーカートリッジ３３２が矢印Ｂ方向に回動して下部トナー供給口３１ａが開くことはない。
【００７２】
次に図１１（ｂ）に示すように、トナーカートリッジ３０５が現像ユニット本体２３ａに載置されると、図１２或いは図１５に示す導電板３４５ｂと導電板３４７ｂ、及び導電板３４６ｂと導電板３４８ｂがそれぞれ電気的に接続されるため、電源制御部４０２から供給される駆動電流が第１コイル３１３及び第２コイル３２４に流れ、磁性体で形成された係止部材２１２と磁性体３２３が磁石となって圧縮バネ２３３による付勢力よりも強い力で互いに吸引する。このため係止部材２１２は、同図（ｂ）に示すように矢印Ｇ方向に移動し、係止部２１２ａの先端が有底孔３１ｂ及び貫通孔３２ｄから外れた状態となる。このように、第１コイル３１３及び第２コイル３２４の巻回方向は、係止部材２１２と磁性体３２３が互いに吸引する方向に設定され、この吸引力が圧縮バネ２３３による付勢力よりも強い力となるように設定されている。
【００７３】
係止部材２１２が有底孔３１ｂ及び貫通孔３２ｄから外れたことにより、インナーカートリッジ３３２の矢印Ｂ方向への回動が可能となるため、図１１（ｃ）に示すように、トナーカートリッジ３０５が現像ユニット本体２３ａに載置された状態で、操作レバー３２ａ（図４）の操作によってインナーカートリッジ３３２を矢印Ｂ方向に限度位置まで回動し、下部トナー供給口３１ａを開いた状態とすることができる。
【００７４】
尚、このとき、インナーカートリッジ３３２の接続端子３４１とアウターカートリッジ３３１の接続端子３４３、及びインナーカートリッジ３３２の接続端子３４２とアウターカートリッジ３３１の接続端子３４４の各電気的な接続関係が遮断されるため、係止部材２１２は、圧縮バネ２３３による付勢力より矢印Ｆ方向に移動し、係止部２１２ａの先端が貫通孔３２ｄを貫通してアウターカートリッジ３３１の内壁面に当接した状態となっている。
【００７５】
逆に、現像ユニット本体２３ａからトナーカートリッジ３０５を取り外す際には、先ず操作レバー３２ａ（図４）の操作によってインナーカートリッジ３３２を矢印Ａ方向に限度位置まで回動し、下部トナー供給口３１ａを閉めた図１１（ｂ）の状態としてから外すことなる。この図１１（ｂ）の状態では再び第１コイル及び第２コイルに電流が流れて係止部材２１２が有底孔３１ｂ及び貫通孔３２ｄから外れた状態となるが、外す過程、即ち図１１（ｂ）から図１１（ａ）の状態に移行する過程で、導電板３４５ｂと導電板３４７ｂ、及び導電板３４６ｂと導電板３４８ｂの各電気的な接続状態が遮断される。
【００７６】
このため、係止部材２１２は再び圧縮バネ２３３による付勢力により矢印Ｆ方向に移動し、係止部２１２ａの先端がインナーカートリッジ３３２に形成された貫通孔３２ｄを貫通し、更にアウターカートリッジ３３１に形成された有底孔３１ｂの底部に当接した図１１（ａ）の状態となり、インナーカートリッジ３３２の矢印Ｂ方向への回動がロックされる。
【００７７】
以上のように、本実施の形態の現像ユニットによれば、前記した実施の形態１の現像ユニットと同様に、トナーカートリッジ３０５が単体で存在する時には、インナーカートリッジ３３２がアウターカートリッジ３３１の下部トナー供給口３１ａを閉じた回動位置にロックされるため、操作ミス等によりトナー供給口が開いて、内部のトナーが外部に漏れるといった不都合を防ぐことができる。またトナーカートリッジ３０５が現像ユニット本体２３ａに装着されると、自動的にロックが解除されるため、手動によりロック解除することなくインナーカートリッジ３３２を回動して下部トナー供給口３１ａを開けることができる。更に、下部トナー供給口３１ａを閉じ、トナーカートリッジ３０５を現像ユニット本体２３ａから外した段階で、インナーカートリッジ３３２が、下部トナー供給口３１ａを閉じた回動位置に自動的にロックされるため、ロック設定の煩わしさや、ロック設定しわすれなどによる不都合を防ぐことができる。更に、本実施の形態では、電磁石を使用しているが、トナーカートリッジ３０５が下部トナー供給口３１ａに装着された状態で、且つ下部トナー供給口３１ａが閉じた状態である、実質的にわずかな時間にのみ電流が流れる構成でるため、電力を浪費することもない。
【００７８】
尚、前記した実施の形態１及び２では、現像ユニット本体２３ａ側に磁石を配置した構成としたが、これに限定されるものではなく、実施の形態１ではアーム部材４２の一方のアーム部４２ａに、また実施の形態２では、係止部材２１２の端部２１２ｂに磁石を配置し、現像ユニット本体２３ａ側に磁性部材を配置するように構成してもよい。
【００７９】
また、前記した各実施の形態では、変位部材に形成された係合部が、図３に示すシャッタ部材３２ｇに形成された被係合部に係合する形態を説明したが、これに限定されるものではなく、例えば、図３に示す操作レバー３２ａが形成された操作部材３２ｅの円筒形状部分３２ｆに被係合部を形成し、この被係合部に変位部材の係合部を係合させるように構成してもよいなど、種々の態様を取り得るものである。
【産業上の利用可能性】
【００８０】
本発明は、プリンタとしての機能を備えた画像形成装置を例にあげて説明を行なったが、これに限定されるものではない。例えば、ファクシミリ装置、複写機、ＭＦＰ（Ｍｕｌｔｉｆｕｎｃｔｉｏｎ  Ｐｅｒｉｐｈｅｒａｌｓ）等にも適用可能である。
【図面の簡単な説明】
【００８１】
【図１】図１は、本発明によるトナーカートリッジを採用した実施の形態１の画像形成装置の要部構成を説明するための概略構成図である。
【図２】転写ローラ、露光装置、記録用紙と供に、ブラック（Ｋ）の現像ユニットの構成を模式的に示す概略構成図である。
【図３】本発明の現像剤収容器に相当するトナーカートリッジの実施の形態１の構成を示す要部分解斜視図である。
【図４】同図（ａ）はインナーカートリッジ３２が矢印Ａ方向に限度位置まで回動されたときの状態を示す図であり、同図（ｂ）はインナーカートリッジ３２が矢印Ｂ方向に限度位置まで回動されたときの状態を示す図である。
【図５】下部トナー供給口が閉じられた状態のトナーカートリッジが現像ユニット本体の上方にあって装着される直前の状態を示す要部斜視図であり、（ａ）はインナーカートリッジの端部に配置されたカバー部材を示し、（ｂ）は更にカバー部材を除いた状態を示す。
【図６】実施の形態１において、アウターカートリッジ、インナーカートリッジ、カバー部材及びアーム部材の関係を模式的に示す概略構成図であり、（ａ）は下部トナー供給口が閉じられた状態のトナーカートリッジが、現像ユニット本体の上方にあって装着される直前の状態を示し、（ｂ）はトナーカートリッジが現像ユニット本体に載置された状態を示し、（ｃ）は、その後に下部トナー供給口が開かれた状態を示している。
【図７】アーム部材が、インナーカートリッジに回動自在に支持される際の支持例をしめす構成図である。
【図８】本発明に基づく実施の形態２の画像形成装置に採用されるトナーカートリッジの要部斜視図である。
【図９】実施の形態２において、アウターカートリッジ、インナーカートリッジ、ガイド部材及び係止部材の関係を模式的に示す概略構成図であり、（ａ）は、下部トナー供給口が閉じられた状態のトナーカートリッジが、現像ユニット本体の上方にあって装着される直前の状態を示し、（ｂ）はトナーカートリッジが現像ユニット本体に載置された状態を示し、（ｃ）はその後に下部トナー供給口が開かれた状態を示している。
【図１０】本発明に基づく実施の形態３の画像形成装置に採用されるトナーカートリッジの要部斜視図である。
【図１１】実施の形態３において、アウターカートリッジ、インナーカートリッジ、ガイド部材及び係止部材の関係を模式的に示す概略構成図であり、（ａ）は、下部トナー供給口が閉じられた状態のトナーカートリッジが、現像ユニット本体の上方にあって装着される直前の状態を示し、（ｂ）はトナーカートリッジが現像ユニット本体に載置された状態を示し、（ｃ）はその後に下部トナー供給口が開かれた状態を示している。
【図１２】実施の形態３において、各接続端子の周辺を矢印Ｈ方向から透視した部分拡大図である。
【図１３】実施の形態３において、ロックアウト凹部材及びロックアウト凸部材の配置位置及び形状を示す斜視図で、（ａ）は、トナーカートリッジの底部で操作レバー側の端部に形成されたロックアウト凹部材を示し、（ｂ）は、現像ユニット本体に形成されたロックアウトを示している。
【図１４】実施の形態３において、各色に応じて決められた係合孔及び係合突起の形成位置の一覧表を示す図である。
【図１５】実施の形態３において、第１コイル及び第２コイルに供給される電流の経路を示す要部ブロック図である。
【符号の説明】
【００８２】
１  感光体、  ２  帯電ローラ、  ３  露光装置、  ４  トナー、  ５  トナーカートリッジ、  ６  現像ローラ、  ７  現像ブレード、  ８  トナー供給ローラ、  ９  クリーニングブレード、  １０  筐体、  １１  転写ベルト、  １２  転写ローラ、  １３  記録用紙、  １４  転写済みトナー、  １５  用紙搬送路、  １６〜１９  用紙搬送、  ２０  給紙カセット、  ２１  スタッカ、  ２２  用紙繰り出し部、  ２３  現像ユニット、  ２３ａ  現像ユニット本体、  ２４  搬送ベルトユニット、  ２５  定着部、  ２６  アッパーカバー、  ２８  ロワーフレーム、  ３１  アウターカートリッジ、  ３１ａ  下部トナー供給口、  ３１ｂ  有底孔、  ３２  インナーカートリッジ、  ３２ａ  操作レバー、  ３２ｂ  開口部、  ３２ｃ  シャッタ部、  ３２ｄ  貫通孔、  ３２ｅ  操作部材、  ３２ｇ  シャッタ部材、  ３３  キャップ、  ３４  カバープレート、  ３５  規制部材、  ３６  開口、  ３７  ガイド孔、  ３９  トナー攪拌バー、  ４１  カバー部材、  ４２  アーム部材、  ４２ａ  一方のアーム部、  ４２ｂ  他方のアーム部、  ４３  ロックピン、  ４４  引張りバネ、  ４５  回転軸、  ４６  支持部材、  ４８  磁石、  １００  画像形成装置、  １１０  現像部、  １１１  廃トナー収集部、  １１２  トナー貯蔵部、  ２０５  トナーカートリッジ、  ２１１  ガイド部材、  ２１１ａ  一端側、  ２１１ｂ  他端側、  ２１２  係止部材、  ２１２ａ  係止部、  ２１２ｂ  端部、  ２３１  アウターカートリッジ、  ２３２  インナーカートリッジ、  ２３３  圧縮バネ、  ３０５  トナーカートリッジ、  ３１３  第１コイル、  ３２３  磁性体、  ３２４  第２コイル、  ３３１  アウターカートリッジ、  ３３２  インナーカートリッジ、  ３４１〜３４４  接続端子、  ３４５，３４６  ロックアウト凹部材、  ３４５ａ，３４６ａ  係合孔、  ３４５ｂ、３４６ｂ  導電板、  ３５０  ロックアウト部、  ３５１  ロックアウト部、  ３４７，３４８  ロックアウト凸部材、  ３４７ａ，３４８ａ  係合突起、  ３４７ｂ、３４８ｂ  導電板、  ３４７ｃ、３４８ｃ  接続部、  ４０１  電源。
【図１】
0004914813.tif 000002
【図２】
0004914813.tif 000003
【図３】
0004914813.tif 000004
【図４】
0004914813.tif 000005
【図５】
0004914813.tif 000006
【図６】
0004914813.tif 000007
【図７】
0004914813.tif 000008
【図８】
0004914813.tif 000009
【図９】
0004914813.tif 000010
【図１０】
0004914813.tif 000011
【図１１】
0004914813.tif 000012
【図１２】
0004914813.tif 000013
【図１３】
0004914813.tif 000014
【図１４】
0004914813.tif 000015
【図１５】
0004914813.tif 000016